【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
印刷装置へ供給する印刷ジョブを生成する情報処理装置と、前記情報処理装置から受け取る前記印刷ジョブに基づいて印刷を実行する印刷装置とを備える印刷システムであって、
前記情報処理装置は、
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する生成手段と、
前記生成手段で生成した印刷ジョブを前記印刷装置へ送信する送信手段とを備え、
前記印刷装置は、
前記情報処理装置から前記印刷ジョブを受信する受信手段と、
印刷ジョブに基づいて、印刷媒体への印刷を実行する印刷手段と、
前記受信手段で受信した印刷ジョブが前記第１印刷ジョブであるか前記第２印刷ジョブであるかを判定する判定手段と、
前記判定手段の判定の結果、前記受信手段で受信した印刷ジョブが前記第１印刷ジョブである場合、該第１印刷ジョブに基づいて、前記印刷手段による印刷媒体への印刷を実行し、前記判定手段の判定の結果、前記受信手段で受信した印刷ジョブが前記第２印刷ジョブである場合、該第２印刷ジョブを記憶媒体に記憶する制御手段と、
前記記憶媒体に記憶されている前記印刷設定を含む第２印刷ジョブの印刷指示がなされた場合、前記第１印刷ジョブに基づいて印刷が実行された印刷媒体へ前記印刷手段が前記第２印刷ジョブに基づく印刷を実行するとともに、該印刷媒体へ前記処理剤を添加する処理を実行する印刷処理手段と
を備えることを特徴とする印刷システム。
【請求項２】
前記情報処理装置は、
前記データ情報が示すデータ群それぞれについて、前記フォーム情報とともに印刷することを許容するか否かを示す印刷設定を入力する入力手段を更に備え、
前記生成手段では、前記入力手段によって入力された印刷設定に基づいて、前記フォーム情報と、該フォーム情報とともに印刷することを許容するデータを含む印刷ジョブを前記第１印刷ジョブとして生成する
ことを特徴とする請求項１に記載の印刷システム。
【請求項３】
前記印刷装置は、複数の排紙手段を更に備え、
前記印刷処理手段は、前記第１印刷ジョブに基づいて、前記印刷手段による印刷がなされた印刷媒体を前記複数の排紙手段の中、指定された排紙手段へ排紙するとともに、前記印刷指示がなされた場合は、前記排紙手段に排紙されている前記第１印刷ジョブに基づいて印刷が実行された印刷媒体へ前記印刷手段が前記第２印刷ジョブに基づく印刷を実行するとともに、該印刷媒体へ前記処理剤を添加する処理を実行する
ことを特徴とする請求項１に記載の印刷システム。
【請求項４】
前記印刷装置は、
前記第１印刷ジョブに含まれるフォーム情報に基づいて、前記印刷手段によって前記印刷媒体に印刷するフォーム画像を前記記憶媒体に記憶する記憶制御手段と、
前記記憶媒体に記憶されている前記フォーム画像と、前記第２印刷ジョブに含まれデータ情報に基づいて、前記印刷手段によって前記印刷媒体に印刷するデータ画像とのオーバレイ画像を生成するオーバレイ処理手段と、
前記印刷指示がなされた場合は、前記記憶媒体に記憶されているオーバレイ画像と、前記データ画像とを対比表示する表示手段と
を更に備えることを特徴とする請求項１に記載の印刷システム。
【請求項５】
印刷装置へ供給する印刷ジョブを生成する情報処理装置であって、
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する生成手段と、
前記生成手段で生成した印刷ジョブを前記印刷装置へ送信する送信手段と
を備えることを特徴とする情報処理装置。
【請求項６】
前記データ情報が示すデータ群それぞれについて、前記フォーム情報とともに印刷することを許容するか否かを示す印刷設定を入力する入力手段を更に備え、
前記生成手段では、前記入力手段によって入力された印刷設定に基づいて、前記フォーム情報と、該フォーム情報とともに印刷することを許容するデータを含む印刷ジョブを前記第１印刷ジョブとして生成する
ことを特徴とする請求項５に記載の情報処理装置。
【請求項７】
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する情報処理装置から、印刷ジョブを受け取り、その印刷ジョブに基づいて印刷を実行する印刷装置であって、
前記情報処理装置から前記印刷ジョブを受信する受信手段と、
印刷ジョブに基づいて、印刷媒体への印刷を実行する印刷手段と、
前記受信手段で受信した印刷ジョブが前記第１印刷ジョブであるか前記第２印刷ジョブであるかを判定する判定手段と、
前記判定手段の判定の結果、前記受信手段で受信した印刷ジョブが前記第１印刷ジョブである場合、該第１印刷ジョブに基づいて、前記印刷手段による印刷媒体への印刷を実行し、前記判定手段の判定の結果、前記受信手段で受信した印刷ジョブが前記第２印刷ジョブである場合、該第２印刷ジョブを記憶媒体に記憶する制御手段と、
前記記憶媒体に記憶されている前記印刷設定を含む第２印刷ジョブの印刷指示がなされた場合、前記第１印刷ジョブに基づいて印刷が実行された印刷媒体へ前記印刷手段が前記第２印刷ジョブに基づく印刷を実行するとともに、該印刷媒体へ前記処理剤を添加する処理を実行する印刷処理手段と
を備えることを特徴とする印刷装置。
【請求項８】
複数の排紙手段を更に備え、
前記印刷処理手段は、前記第１印刷ジョブに基づいて、前記印刷手段による印刷がなされた印刷媒体を前記複数の排紙手段の中、指定された排紙手段へ排紙するとともに、前記印刷指示がなされた場合は、前記排紙手段に排紙されている前記第１印刷ジョブに基づいて印刷が実行された印刷媒体へ前記印刷手段が前記第２印刷ジョブに基づく印刷を実行するとともに、該印刷媒体へ前記処理剤を添加する処理を実行する
ことを特徴とする請求項７に記載の印刷装置。
【請求項９】
前記第１印刷ジョブに含まれるフォーム情報に基づいて、前記印刷手段によって前記印刷媒体に印刷するフォーム画像を前記記憶媒体に記憶する記憶制御手段と、
前記記憶媒体に記憶されている前記フォーム画像と、前記第２印刷ジョブに含まれるデータ情報に基づいて、前記印刷手段によって前記印刷媒体に印刷するデータ画像とのオーバレイ画像を生成するオーバレイ処理手段と、
前記印刷指示がなされた場合は、前記記憶媒体に記憶されているオーバレイ画像と、前記データ画像とを対比表示する表示手段と
を更に備えることを特徴とする請求項７に記載の印刷装置。
【請求項１０】
印刷装置へ供給する印刷ジョブを生成する情報処理装置の制御方法であって、
生成手段が、フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する生成工程と、
送信手段が、前記生成工程で生成した印刷ジョブを前記印刷装置へ送信する送信工程と
を備えることを特徴とする情報処理装置の制御方法。
【請求項１１】
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する情報処理装置から、印刷ジョブを受け取り、その印刷ジョブに基づいて印刷を実行する印刷装置の制御方法であって、
受信手段が、前記情報処理装置から前記印刷ジョブを受信する受信工程と、
判定手段が、前記受信工程で受信した印刷ジョブが前記第１印刷ジョブであるか前記第２印刷ジョブであるかを判定する判定工程と、
制御手段が、前記判定工程の判定の結果、前記受信工程で受信した印刷ジョブが前記第１印刷ジョブである場合、該第１印刷ジョブに基づいて、印刷部による印刷媒体への印刷を実行し、前記判定工程の判定の結果、前記受信工程で受信した印刷ジョブが前記第２印刷ジョブである場合、該第２印刷ジョブを記憶媒体に記憶する制御工程と、
印刷処理手段が、前記記憶媒体に記憶されている前記印刷設定を含む第２印刷ジョブの印刷指示がなされた場合、前記第１印刷ジョブに基づいて印刷が実行された印刷媒体へ前記印刷部が前記第２印刷ジョブに基づく印刷を実行するとともに、該印刷媒体へ前記処理剤を添加する処理を実行する印刷処理工程と
を備えることを特徴とする印刷装置の制御方法。
【請求項１２】
印刷装置へ供給する印刷ジョブを生成する情報処理装置の制御をコンピュータに実行させるためのプログラムであって、
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する生成工程と、
前記生成工程で生成した印刷ジョブを前記印刷装置へ送信する送信工程と
をコンピュータに実行させることを特徴とするプログラム。
【請求項１３】
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する情報処理装置から、印刷ジョブを受け取り、その印刷ジョブに基づいて印刷を実行する印刷装置の制御をコンピュータに実行させるためのプログラムであって、
前記情報処理装置から前記印刷ジョブを受信する受信工程と、
前記受信工程で受信した印刷ジョブが前記第１印刷ジョブであるか前記第２印刷ジョブであるかを判定する判定工程と、
前記判定工程の判定の結果、前記受信工程で受信した印刷ジョブが前記第１印刷ジョブである場合、該第１印刷ジョブに基づいて、印刷部による印刷媒体への印刷を実行し、前記判定工程の判定の結果、前記受信工程で受信した印刷ジョブが前記第２印刷ジョブである場合、該第２印刷ジョブを記憶媒体に記憶する制御工程と、
前記記憶媒体に記憶されている前記印刷設定を含む第２印刷ジョブの印刷指示がなされた場合、前記第１印刷ジョブに基づいて印刷が実行された印刷媒体へ前記印刷部が前記第２印刷ジョブに基づく印刷を実行するとともに、該印刷媒体へ前記処理剤を添加する処理を実行する印刷処理工程と
をコンピュータに実行させることを特徴とするプログラム。
【手続補正２】
【補正対象書類名】明細書
【補正対象項目名】００１０
【補正方法】変更
【補正の内容】
【００１０】
上記の目的を達成するための本発明による印刷システムは以下の構成を備える。即ち、
印刷装置へ供給する印刷ジョブを生成する情報処理装置と、前記情報処理装置から受け取る前記印刷ジョブに基づいて印刷を実行する印刷装置とを備える印刷システムであって、
前記情報処理装置は、
フォーム情報とデータ情報を含むオーバレイ印刷用の印刷データであって、印刷媒体に処理剤を添加する印刷設定を含む印刷データから、前記フォーム情報による印刷を行うための第１印刷ジョブと、前記印刷設定を含む前記データ情報による印刷を行うための第２印刷ジョブとを生成する生成手段と、
前記生成手段で生成した印刷ジョブを前記印刷装置へ送信する送信手段とを備え、
前記印刷装置は、
前記情報処理装置から前記印刷ジョブを受信する受信手段と、
印刷ジョブに基づいて、印刷媒体への印刷を実行する印刷手段と、
前記受信手段で受信した印刷ジョブが前記第１印刷ジョブであるか前記第２印刷ジョブであるかを判定する判定手段と、
前記判定手段の判定の結果、前記受信手段で受信した印刷ジョブが前記第１印刷ジョブである場合、該第１印刷ジョブに基づいて、前記印刷手段による印刷媒体への印刷を実行し、前記判定手段の判定の結果、前記受信手段で受信した印刷ジョブが前記第２印刷ジョブである場合、該第２印刷ジョブを記憶媒体に記憶する制御手段と、
前記記憶媒体に記憶されている前記印刷設定を含む第２印刷ジョブの印刷指示がなされた場合、前記第１印刷ジョブに基づいて印刷が実行された印刷媒体へ前記印刷手段が前記第２印刷ジョブに基づく印刷を実行するとともに、該印刷媒体へ前記処理剤を添加する処理を実行する印刷処理手段と
を備える。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】